(57)【特許請求の範囲】
【請求項１】
表示部と、
前記表示部のスクリーンに対応して配され、接触操作を検出する検出部と、
複数の文字をそれぞれ記憶する記憶部と、
前記複数の文字を入力するための複数の入力候補を前記表示部に表示させる制御部と、を備え、
前記制御部は、
前記複数の入力候補のいずれかへの接触操作を前記検出部により検出した場合に、当該接触された入力候補である接触候補と関連する関連文字を、前記接触候補の周囲領域に表示させて、
接触操作に応じて前記接触候補を中心として前記関連文字を回転させ、かつ前記接触操作に応じて、前記関連文字の一部の表示を省略して、新たな関連文字を前記周囲領域に表示させ、
前記接触候補を中心とする前記周囲領域を前記表示部に表示させた状態において、前記接触候補とは異なる他の前記入力候補への接触を前記検出部により検出した場合に、前記他の入力候補に関連する他の関連文字を、当該他の関連文字の周囲領域に表示させる
携帯電子機器。
【請求項２】
表示部と、
前記表示部のスクリーンに対応して配され、接触操作を検出する検出部と、
複数の文字をそれぞれ記憶する記憶部と、
前記複数の文字を入力するための複数の入力候補を前記表示部に表示させる制御部と、を備え、
前記制御部は、
前記複数の入力候補のいずれかへの接触操作を前記検出部により検出した場合に、当該接触された入力候補である接触候補と関連する関連文字を、前記接触候補の周囲領域に表示させて、
接触操作に応じて前記接触候補を中心として前記関連文字を回転させ、かつ前記接触操作に応じて、前記関連文字の一部の表示を省略して、新たな関連文字を前記周囲領域に表示させ、
前記関連文字は、前記接触候補の変換候補、前記接触候補と第１の関係を有する同一の文字種の文字及び前記接触候補と第２の関係を有する異なる文字種の文字を含み、
前記制御部は、前記関連文字を回転させる接触操作とは異なる接触操作が検出された場合、前記周囲領域の回転に応じて、前記変換候補、前記同一の文字種の文字及び前記異なる文字種の文字との前記関連文字として前記周囲領域に表示させる関連文字を変更する
携帯電子機器。
【請求項３】
前記関連文字は、前記接触候補の変換候補、前記接触候補と第１の関係を有する同一の文字種の文字及び前記接触候補と第２の関係を有する異なる文字種の文字を含み、
前記制御部は、前記関連文字を回転させる接触操作とは異なる接触操作が検出された場合、前記周囲領域の回転に応じて、前記変換候補、前記同一の文字種の文字及び前記異なる文字種の文字との前記関連文字として前記周囲領域に表示させる関連文字を変更する請求項１に記載の携帯電子機器。
【請求項４】
前記関連文字は、前記接触候補の変換候補を含む請求項１から３のいずれか一項に記載の携帯電子機器。
【請求項５】
前記関連文字は、前記接触候補と第１の関係を有する同一の文字種の文字及び前記接触候補と第２の関係を有する異なる文字種の文字の少なくとも一方を含む請求項１から４のいずれか一項に記載の携帯電子機器。
【請求項６】
前記制御部は、前記接触候補を中心として前記関連文字を回転させるための接触領域を前記表示部に表示させる請求項１から５のいずれか一項に記載の携帯電子機器。
【請求項７】
前記制御部は、前記関連文字への接触を前記検出部により検出した場合に、当該関連文字に関連する文字を、当該関連文字を中心とする周囲領域に表示させる請求項１から６のいずれか一項に記載の携帯電子機器。
【請求項８】
文字を入力するための複数の入力候補を表示部に表示させるステップと、
前記入力候補への接触操作を検出部により検出するステップと、
前記入力候補への接触を前記検出部により検出した場合に、当該接触された入力候補である接触候補と関連する関連文字を前記表示部における前記接触候補の周囲領域に表示させるステップと、
前記検出部により検出される接触操作に応じて前記接触候補を中心として前記関連文字を回転させ、かつ当該関連文字の回転に応じて、前記関連文字の一部の表示を省略し、新たな関連文字を前記周囲領域に表示させるステップと、
前記接触候補を中心とする前記周囲領域を前記表示部に表示させた状態において、前記接触候補とは異なる他の前記入力候補への接触を前記検出部により検出した場合に、前記他の入力候補に関連する他の関連文字を、当該他の関連文字の周囲領域に表示させるステップと、
を備える携帯電子機器の制御方法。
【請求項９】
携帯電子機器のコンピュータを機能させるための制御プログラムであって、
前記コンピュータに、
文字を入力するための複数の入力候補を表示部に表示させるステップと、
前記入力候補への接触操作を検出部により検出するステップと、
前記入力候補への接触を前記検出部により検出した場合に、当該接触された入力候補である接触候補と関連する関連文字を前記表示部における前記接触候補の周囲領域に表示させるステップと、
前記検出部により検出される接触操作に応じて前記接触候補を中心として前記関連文字を回転させ、かつ当該関連文字の回転に応じて、前記関連文字の一部の表示を省略し、新たな関連文字を前記周囲領域に表示させるステップと、
前記関連文字が、前記接触候補の変換候補、前記接触候補と第１の関係を有する同一の文字種の文字及び前記接触候補と第２の関係を有する異なる文字種の文字を含み、前記関連文字を回転させる接触操作とは異なる接触操作が検出された場合、前記周囲領域の回転に応じて、前記変換候補、前記同一の文字種の文字及び前記異なる文字種の文字との前記関連文字として前記周囲領域に表示させる関連文字を変更するステップと、
を実行させる制御プログラム。
【発明の詳細な説明】
【技術分野】
【０００１】
本発明は、表示部への接触を検出可能な携帯電子機器、携帯電子機器の制御方法及びプログラムに関する。
【背景技術】
【０００２】
従来、表示部への接触を検出可能な携帯電子機器において、平仮名文字の「あ段」が割り当てられた仮想的なキーを表示部に表示させた状態で、当該平仮名文字へ接触して、接触された平仮名文字と子音が同一のかな文字の仮想的なキーを、当該接触された平仮名文字の仮想的なキーの周囲に表示させる。そして、表示されたいずれかの平仮名文字の仮想的なキーに対応する箇所へ摺動操作を行うことにより、所望の平仮名文字の入力を行うことが可能であった（例えば、特許文献１参照）。
【先行技術文献】
【特許文献】
【０００３】
【特許文献１】特開２００９−２６６２３６号公報
【発明の概要】
【発明が解決しようとする課題】
【０００４】
しかし、特許文献１に記載の携帯電子機器では、平仮名文字の「あ段」が割り当てられた仮想的なキーを表示部に表示させた状態において、当該平仮名文字と子音が同一の平仮名文字のみを入力することしかできなかった。
【０００５】
本発明は、ユーザの利便性を向上した文字入力を行うことができる携帯電子機器、携帯電子機器の制御方法及びプログラムを提供することを目的とする。
【課題を解決するための手段】
【０００６】
本発明に係る携帯電子機器は、上記課題を解決するために、表示部と、前記表示部のスクリーンに対応して配され、接触操作を検出する検出部と、複数の文字をそれぞれ記憶する記憶部と、前記複数の文字を入力するための複数の入力候補を前記表示部に表示させる制御部と、を備え、前記制御部は、前記複数の入力候補のいずれかへの接触操作を前記検出部により検出した場合に、当該接触された入力候補である接触候補と関連する関連文字を、前記接触候補の周囲領域に表示させて、接触操作に応じて前記接触候補を中心として前記関連文字を回転させ、かつ前記接触操作に応じて、前記関連文字の一部の表示を省略して、新たな関連文字を前記周囲領域に表示させる。
【０００７】
また、前記関連文字は、前記接触候補の変換候補を含むことが好ましい。
【０００８】
また、前記関連文字は、前記接触候補と第１の関係を有する同一の文字種の文字及び前記接触候補と第２の関係を有する異なる文字種の文字の少なくとも一方を含むことが好ましい。
【０００９】
また、前記関連文字は、前記接触候補の変換候補、前記接触候補と第１の関係を有する同一の文字種の文字及び前記接触候補と第２の関係を有する異なる文字種の文字を含み、前記制御部は、前記関連文字を回転させる接触操作とは異なる接触操作が検出された場合、前記周囲領域の回転に応じて、前記変換候補、前記同一の文字種の文字及び前記異なる文字種の文字との前記関連文字として前記周囲領域に表示させる関連文字を変更することが好ましい。
【００１０】
また、前記制御部は、前記接触候補を中心として前記関連文字を回転させるための接触領域を前記表示部に表示させることが好ましい。
【００１１】
また、前記制御部は、前記接触候補を中心とする前記周囲領域を前記表示部に表示させた状態において、前記接触候補とは異なる他の前記入力候補への接触を前記検出部により検出した場合に、前記他の入力候補に関連する他の関連文字を、当該他の関連文字の周囲領域に表示させることが好ましい。
【００１２】
また、前記制御部は、前記関連文字への接触を前記検出部により検出した場合に、当該関連文字に関連する文字を、当該関連文字を中心とする周囲領域に表示させることが好ましい。
【００１３】
本発明に係る携帯電子機器の制御方法は、上記課題を解決するために、文字を入力するための複数の入力候補を表示部に表示させるステップと、前記入力候補への接触操作を検出部により検出するステップと、前記入力候補への接触を前記検出部により検出した場合に、当該接触された入力候補である接触候補と関連する関連文字を前記表示部における前記接触候補の周囲領域に表示させるステップと、前記検出部により検出される接触操作に応じて前記接触候補を中心として前記関連文字を回転させ、かつ当該関連文字の回転に応じて、前記関連文字の一部の表示を省略し、新たな関連文字を前記周囲領域に表示させるステップと、を備える。
【００１４】
本発明に係るプログラムは、文字を入力するための複数の入力候補を表示部に表示させるステップと、前記入力候補への接触操作を検出部により検出するステップと、前記入力候補への接触を前記検出部により検出した場合に、当該接触された入力候補である接触候補と関連する関連文字を前記表示部における前記接触候補の周囲領域に表示させるステップと、前記検出部により検出される接触操作に応じて前記接触候補を中心として前記関連文字を回転させ、かつ当該関連文字の回転に応じて、前記関連文字の一部の表示を省略し、新たな関連文字を前記周囲領域に表示させるステップと、を実行させる。
【発明の効果】
【００１５】
本発明によれば、ユーザの利便性を向上した文字入力を行うことができる携帯電子機器、携帯電子機器の制御方法及びプログラムを提供することができる。
【図面の簡単な説明】
【００１６】
【図１】本実施形態に係る携帯電話機の外観斜視図である。
【図２】携帯電話機の機能構成を示すブロック図である。
【図３】本実施形態に係る表示部に表示される画面遷移例（１）を示す図である。
【図４】本実施形態に係る表示部に表示される画面を示す図である。
【図５】本実施形態に係る表示部に表示される画面遷移例（２）を示す図である。
【図６】本実施形態に係る表示部に表示される画面遷移例（３）を示す図である。
【図７】図３から図６に示す例の内部処理について示すフローチャートである。
【発明を実施するための形態】
【００１７】
以下、本発明の実施の形態について説明する。まず、本発明の携帯電子機器の一実施形態に係る携帯電話機１の基本構造について、図１を参照しながら説明する。図１は、本実施形態に係る携帯電話機１の外観斜視図である。
【００１８】
携帯電話機１は、筺体２を備える。筺体２には、正面部に、タッチパネル１０と、マイク１３と、スピーカ１４とが配置される。
【００１９】
タッチパネル１０は、表示部１１と、検出部１２とを備える（図２参照）。表示部１１は、液晶表示パネル又は有機ＥＬ（エレクトロルミネッセンス）表示パネル等である。検出部１２は、表示部１１に対する携帯電話機１のユーザの指やタッチペン等の物体の接触を検出するセンサである。検出部１２には、表示部１１の表面に対応して配され、例えば、静電容量方式や抵抗膜方式等のセンサが利用可能である。
【００２０】
マイク１３は、携帯電話機１のユーザが通話時に発した音声を入力するために用いられる。
スピーカ１４は、携帯電話機１のユーザの通話相手が発した音声を出力するために用いられる。
【００２１】
続いて、図２を参照しながら、携帯電話機１の機能構成について説明する。図２は、携帯電話機１の機能構成を示すブロック図である。
【００２２】
携帯電話機１は、上述した、タッチパネル１０（表示部１１及び検出部１２）と、マイク１３と、スピーカ１４とを備える。また、携帯電話機１は、通信部１５と、記憶部１６と、制御部１７とを備える。
【００２３】
通信部１５は、メインアンテナ（図示省略）とＲＦ回路部（図示省略）とを備え、所定の連絡先に発信したり、通信したりする。通信部１５が発信する連絡先は、例えば、警察や消防といった緊急連絡先である。また、通信部１５が通信を行う通信先は、携帯電話機１と電話やメールの送受信を行う外部装置や、携帯電話機１がインターネットの接続を行う外部のｗｅｂサーバ等の外部装置等である。
【００２４】
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００２５】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００２６】
制御部１７は、携帯電話機１の全体を制御しており、表示部１１及び通信部１５に対して制御を行う。
【００２７】
本実施形態の記憶部１６及び制御部１７は、一般的なコンピュータによって構成してもよい。一般的なコンピュータは、例えば、制御部１７として、中央処理装置（ＣＰＵ）を備え、記憶部１６として、メモリ（ＲＡＭ、ＲＯＭ）や、ハードディスク（ＨＤＤ）等を備える。このような一般的なコンピュータにおいて、制御部１７は、携帯電話機１を統括的に制御し、各種プログラムを記憶部１６から適宜読み出して実行することにより、上述した表示部１１、検出部１２、マイク１３、スピーカ１４及び通信部１５と協働し、本発明に係る各種機能を実現している。
【００２８】
本実施形態に係る携帯電話機１は、異なる文字種の文字を入力する機能を有している。以下、当該機能を実行させるための構成について説明する。
【００２９】
図２に示すように、記憶部１６は、文字入力補助アプリケーション１６１と、文字入力アプリケーション１６２とを備え、制御部１７は、アプリケーション制御部１７１と、文字入力制御部１７２とを備える。
【００３０】
文字入力補助アプリケーション１６１は、携帯電話機１において文字の入力を補助するアプリケーション・プログラム、いわゆるＩＭＥ（Ｉｎｐｕｔ  Ｍｅｔｈｏｄ  Ｅｄｉｔｏｒ）である。例えば、文字入力補助アプリケーション１６１は、入力された文字を変換したり、変換候補や入力候補を表示部１１に表示させたりする機能を有する。また、文字入力補助アプリケーション１６１は、複数の文字種（例えば、平仮名文字（かな文字）、片仮名文字（カナ文字）、英字、数字、記号、絵文字、デコレーションメール用絵文字等）に対応する文字をそれぞれ記憶している。
【００３１】
ここで、本実施形態に係る文字とは、平仮名文字、片仮名文字、漢字だけでなく、数字、英字、記号、絵文字、デコレーションメール用絵文字も含む。また、文字とは、一の文字だけでなく、文字列も含む。
【００３２】
アプリケーション制御部１７１は、例えば検出部１２への接触等に応じて、文字入力アプリケーション１６２（例えば、メモ帳アプリケーション、電子メールアプリケーション、文書作成アプリケーション等）を起動及び終了させたり、文字入力補助アプリケーション１６１を起動及び終了させたりする。
【００３３】
文字入力制御部１７２は、アプリケーション制御部１７１により起動された文字入力アプリケーション１６２において、文字入力補助アプリケーション１６１を用いて、複数の文字種のうち、いずれかの文字種の文字を入力するための複数の入力候補を表示部１１に表示させる。
【００３４】
図３は、本実施形態に係る表示部１１に表示される画面遷移例を示す図である。
図３の画面Ｄ１においては、文字入力補助アプリケーション１６１及び文字入力アプリケーション１６２が起動している。また、図３の画面Ｄ１においては、文字入力補助アプリケーション１６１によりソフトウェアキーとして第１の入力候補Ａ１が表示され、文字入力アプリケーション１６２により文字入力領域Ｂが表示されている。
【００３５】
また、画面Ｄ１において、第１の入力候補Ａ１に表示されている入力候補は、かな文字の「あ」、「か」、「さ」、「た」、「な」、「は」、「ま」、「や」、「ら」、「゛。小（入力される文字を濁音、半濁音及び促音にする）」、「わ」及び「。、？！」である。また、「ＡＢＣ」は、かな文字から英数字へ入力形態を切り替えるソフトウェアキーである。
【００３６】
画面Ｄ１において、文字入力制御部１７２は、表示部１１において、第１の入力候補Ａ１の入力候補「な」に対応する箇所への接触を検出部１２により検出されると、入力候補「な」が選択され、接触の検出が解除されると、文字入力領域Ｂにかな文字「な」が表示される（画面Ｄ２）。
【００３７】
また、画面Ｄ１において、文字入力制御部１７２は、第１の入力候補Ａ１として表示部１１に表示されるかな文字「な」への一定時間以上の接触を検出部１２により検出した場合に、当該接触された文字であるかな文字「な」（以下、接触文字「な」という）と関連する関連文字を表示部１１における接触文字「な」を中心とする周囲領域Ｃ１に表示させる（画面Ｄ３）。
【００３８】
より詳細には、文字入力制御部１７２は、検出部１２により検出される接触文字「な」への接触が第１の時間Ｔ１以上継続した場合に、接触文字「な」の変換候補、接触文字「な」と第１の関係を有する同一の文字種の文字、又は接触文字「な」と第２の関係を有する異なる文字種の文字である第２の入力候補Ａ２を表示部１１の周囲領域Ｃ１に表示させる（画面Ｄ３）。
【００３９】
ここで、接触文字「な」の変換候補である第２の入力候補Ａ２とは、接触文字「な」を頭文字とした変換候補であり、「なかった」、「ない」、「など」等が挙げられる（画面Ｄ４参照）。また、接触文字「な」と第１の関係を有する同一の文字種の文字である第２の入力候補Ａ２とは、接触文字「な」と子音が同一のかな文字「に」、「ぬ」、「ね」及び「の」である（画面Ｄ３参照）。
【００４０】
また、接触文字「な」と第２の関係を有する異なる文字種の文字である第２の入力候補Ａ２とは、複数の文字種に対応する文字が一のキーに対してそれぞれ割り当てられる場合に、接触文字「な」と同一のキーに割り当てられる他の文字を含む。具体的には、図４の画面Ｄ７に示すように、表示部１１に複数の文字種に対応する仮想的なキーが表示されており、一のキーに対してそれぞれ、かな文字、数字、英字及び記号が割り当てられる場合に、接触文字「な」と同一のキーに割り当てられる当該接触文字「な」とは異なる数字「５」及び英字「Ｊ、Ｋ、Ｌ」を含む。
【００４１】
図４は、本実施形態に係る表示部２１に表示される画面を示す図である。図４に示すように、文字入力制御部１７２は、図３の画面Ｄ１に替えて、複数の文字種に対応する仮想的なキーを表示部２１に表示させてもよい。例えば、画面Ｄ７の表示では、平仮名を入力するモードとなっているが、文字「な」のキーには、数字「５」及び英字「Ｊ、Ｋ、Ｌ」が割り当てられており、ユーザは、他のキーにより異なる文字種を切り替えることにより、異なる文字種の文字を入力することができる。
【００４２】
さらに、第２の入力候補Ａ２は、接触文字「な」を頭文字とする画像を含んでいてもよい。具体的には、第２の入力候補Ａ２は、図３の画面Ｄ３に示すような接触文字「な」を頭文字とする絵文字「泣き笑い」、「涙」及び「なす」であってもよい。また、第２の入力候補Ａ２は、絵文字だけでなく、デコレーションメール用の絵文字を含んでいてもよく、顔文字（例えば、「（ノ＿−。）」（泣く））を含んでいてもよい。
【００４３】
画面Ｄ３において、文字入力制御部１７２は、接触文字「な」を中心として周囲領域Ｃ１を回転させるための接触領域Ｃ２を、表示部１１における周囲領域Ｃ１の外側に表示させる。
【００４４】
また、画面Ｄ３において、文字入力制御部１７２は、検出部１２により検出される所定の操作に応じて接触文字「な」を中心として周囲領域Ｃ１を回転させ、かつ周囲領域Ｃ１の回転に応じて、所定の順序に基づいて関連文字の一部の文字の表示を解除すると共に、新たに接触文字「な」に関連する関連文字を周囲領域Ｃ１に表示させる。
【００４５】
より詳細には、画面Ｄ３において、文字入力制御部１７２は、接触領域Ｃ２を方向Ｈ１へ摺動させる操作が検出部１２により検出されると、周囲領域Ｃ１を時計回りに回転させる。そして、文字入力制御部１７２は、周囲領域Ｃ１の回転に応じて、所定の順序に基づいて関連文字の一部の文字（関連文字「な」、「に」、「ぬ」、「ね」及び「の」）の表示を解除すると共に、新たに接触文字「な」に関連する関連文字（関連文字「なかった」、「ない」及び「など」）を周囲領域Ｃ１に表示させる（画面Ｄ４）。
【００４６】
一方、画面Ｄ３において、文字入力制御部１７２は、接触領域Ｃ２を方向Ｈ２へ摺動させる操作が検出部１２により検出されると、周囲領域Ｃ１を反時計回りに回転させる。そして、文字入力制御部１７２は、周囲領域Ｃ１の回転に応じて、所定の順序に基づいて関連文字の一部の文字（関連文字としての絵文字「泣き笑い」、「涙」及び「なす」と、数字「５」）の表示を解除すると共に、新たに接触文字「な」に関連する関連文字（関連文字「鳴った」、「成った」及び「なったら」）を周囲領域Ｃ１に表示させる（画面Ｄ５）。
【００４７】
なお、文字入力制御部１７２は、接触文字「な」に関連する関連文字のうち、文字数の多い関連文字を、文字数を減少（例えば、先頭３文字）させて周囲領域Ｃ１に表示させてもよい。また、文字入力制御部１７２は、接触文字「な」に関連する関連文字において同意語とみなされる文字については当該関連文字の代表となる代表文字を表示する。そして、文字入力制御部１７２は、代表文字が選択されると、代表文字の近傍に代表文字の同意語をリスト表示してもよい。代表文字及び同意語の例としては、代表文字「おはよう」に対する同意語「おはようございます」、「おはよ」、「おはっ」等が挙げられる。
【００４８】
ここで、所定の順序とは、例えば、接触文字「な」と第１の関係を有する同一の文字種の文字→接触文字「な」と第２の関係を有する異なる文字種の文字→接触文字「な」を頭文字とする画像とする絵文字→接触文字「な」を頭文字とした変換候補の順序でもよく、ユーザが設定した任意の順序でもよい。
【００４９】
また、文字入力制御部１７２は、接触文字「な」を中心とする周囲領域Ｃ１を表示部１１に表示させた状態（画面Ｄ３）において、入力候補として表示部１１に表示されるいずれかの文字種の文字のうち、接触文字「な」とは異なる他の文字（例えば、文字「か」）への接触を検出部１２により検出した場合に、他の文字に関連する文字を当該他の文字を中心とする周囲領域Ｃ１に表示させる（画面Ｄ６参照）。
【００５０】
より詳細には、文字入力制御部１７２は、画面Ｄ６において、接触文字「な」とは異なる他の文字「か」と第１の関係を有する同一の文字種の文字（「き」、「く」、「け」及び「こ」）、他の文字「か」と第２の関係を有する異なる文字種の文字（数字「２」及び英字「Ａ、Ｂ、Ｃ」）、他の文字「か」を頭文字とする絵文字「傘」、「カキ氷」及び「枯れ葉」等を、他の文字「か」を中心とする周囲領域Ｃ１に表示させる（画面Ｄ６参照）。
【００５１】
また、文字入力制御部１７２は、検出部１２により所定の操作とは異なる操作（例えば、接触領域Ｃ２の外側の領域を方向Ｈ１又は方向Ｈ２へ摺動させる操作）が検出された場合、周囲領域Ｃ１の回転に応じて、接触文字「な」を頭文字とした変換候補、接触文字「な」と第１の関係を有する同一の文字種の文字及び接触文字「な」と第２の関係を有する異なる文字種の文字をそれぞれ切り替えて、周囲領域Ｃ１に表示させてもよい（図５参照）。
【００５２】
また、図４に示すように、文字入力制御部１７２は、検出部１２により検出される接触文字「ＧＨＩ」への接触が第１の時間Ｔ１以上継続した場合に、接触文字「ＧＨＩ」の変換候補、接触文字「ＧＨＩ」と第１の関係を有する同一の文字種の文字、又は接触文字「ＧＨＩ」と第２の関係を有する異なる文字種の文字である第２の入力候補Ａ２を表示部１１の周囲領域Ｃ１に表示させてもよい。
【００５３】
ここで、接触文字「ＧＨＩ」の変換候補である第２の入力候補Ａ２とは、「ｇ」、「ｈ」、「ｉ」、「Ｇ」、「Ｈ」、「Ｉ」等が挙げられる。また、接触文字「ＧＨＩ」と第１の関係を有する同一の文字種の文字である第２の入力候補Ａ２とは、「ｈｏｍｅ」、「ｈｏｒｓｅ」、「ｈａｌｌ」等である。
【００５４】
また、接触文字「ＧＨＩ」と第２の関係を有する異なる文字種の文字である第２の入力候補Ａ２とは、複数の文字種に対応する文字が一のキーに対してそれぞれ割り当てられる場合に、接触文字「ＧＨＩ」と同一のキーに割り当てられる他の文字を含む。具体的には、図４の画面Ｄ７に示すように、表示部１１に複数の文字種に対応する仮想的なキーが表示されており、一のキーに対してそれぞれ、かな文字、数字、英字及び記号が割り当てられる場合に、接触文字「ＧＨＩ」と同一のキーに割り当てられる当該接触文字「ＧＨＩ」とは異なる数字「４」及びかな文字「た」、「ち」「つ」、「て」、「と」を含む。
【００５５】
図５は、本実施形態に係る表示部１１に表示される画面遷移例を示す図である。
図５に示すように、文字入力制御部１７２は、例えば、接触領域Ｃ２の外側の領域を方向Ｈ１へ摺動させる操作が検出部１２により検出された場合、周囲領域Ｃ１の回転に応じて、接触文字「な」と第１の関係を有する同一の文字種の文字から接触文字「な」と第２の関係を有する異なる文字種の文字へ切り替えて、周囲領域Ｃ１に表示させてもよい（画面Ｄ３及びＤ８）。
【００５６】
また、文字入力制御部１７２は、例えば、接触領域Ｃ２の外側の領域を方向Ｈ２へ摺動させる操作が検出部１２により検出された場合、周囲領域Ｃ１の回転に応じて、接触文字「な」と第１の関係を有する同一の文字種の文字から接触文字「な」を頭文字とした変換候補へ切り替えて、周囲領域Ｃ１に表示させてもよい（画面Ｄ３及びＤ９）。
【００５７】
図６は、本実施形態に係る表示部１１に表示される画面遷移例を示す図である。
図６に示すように、画面Ｄ３において、文字入力制御部１７２は、接触文字「な」を中心とする周囲領域Ｃ１を表示部１１に表示させた状態（画面Ｄ３）において、接触文字「な」と関連する関連文字「ね」への接触を検出部１２により検出した場合（画面Ｄ１０）に、関連文字「ね」に関連する文字（例えば、変換候補「ネ」、「ねこ」、「ねる」、「ねむる」、「ねた」）を、当該関連文字「ね」を中心とする周囲領域に表示させる（画面Ｄ１１）。
【００５８】
画面Ｄ１１において、文字入力制御部１７２は、周囲領域Ｃ１全体が表示部１１に表示できない場合には、周囲領域Ｃ１の一部を表示させてもよい。この場合、文字入力制御部１７２は、検出部１２により検出される所定の操作に応じて関連文字「ね」を中心として周囲領域Ｃ１を回転させ、かつ周囲領域Ｃ１の回転に応じて、所定の順序に基づいて、関連文字「ね」の一部の文字の表示を解除すると共に、周囲領域Ｃ１に表示されていない関連文字「ね」に関連する関連文字を周囲領域Ｃ１に表示させる。
【００５９】
このように本実施形態の携帯電話機１によれば、文字入力制御部１７２は、検出部１２により検出される所定の操作に応じて接触文字を中心として周囲領域Ｃ１を回転させ、かつ周囲領域Ｃ１の回転に応じて、所定の順序に基づいて関連文字の一部の文字の表示を解除すると共に、新たに接触文字に関連する関連文字を周囲領域Ｃ１に表示させる。これにより、携帯電話機１は、接触文字以外の文字を表示部１１に表示させるため、ユーザは、接触文字以外の文字を選択することにより、所望の文字入力を容易に行うことできる。
【００６０】
また、文字入力制御部１７２は、検出部１２により検出される接触文字への接触が第１の時間Ｔ１以上継続した場合に、接触文字の変換候補、接触文字と第１の関係を有する同一の文字種の文字、又は接触文字と第２の関係を有する異なる文字種の文字である第２の入力候補Ａ２を表示部１１の周囲領域Ｃ１に表示させる。これにより、携帯電話機１は、接触文字の変換候補、接触文字と同一の文字種の文字及び接触文字と異なる文字種の文字の入力を容易に行うことできる。
【００６１】
また、文字入力制御部１７２は、検出部１２により所定の操作とは異なる操作が検出された場合、周囲領域Ｃ１の回転に応じて、接触文字を頭文字とした変換候補、接触文字と第１の関係を有する同一の文字種の文字及び接触文字と第２の関係を有する異なる文字種の文字をそれぞれ切り替えて、周囲領域Ｃ１に表示させる。これにより、携帯電話機１は、接触文字の変換候補、接触文字と同一の文字種の文字及び接触文字と異なる文字種の文字の切り替えをより容易に行うことできる。
【００６２】
また、文字入力制御部１７２は、接触文字を中心として周囲領域Ｃ１を回転させるための接触領域Ｃ２を、表示部１１における周囲領域Ｃ１の外側に表示させる。これにより、携帯電話機１は、接触領域Ｃ２を摺動操作することにより、接触文字と関連する関連文字の選択を容易に行うことができる。
【００６３】
また、文字入力制御部１７２は、接触文字を中心とする周囲領域Ｃ１を表示部１１に表示させた状態において、入力候補として表示部１１に表示されるいずれかの文字種の文字のうち、接触文字とは異なる他の文字への接触を検出部１２により検出した場合に、他の文字に関連する文字を当該他の文字を中心とする周囲領域Ｃ１に表示させる。これにより、携帯電話機１は、接触文字とは異なる他の文字に関連する文字の入力を容易に行うことできる。
【００６４】
また、文字入力制御部１７２は、接触文字を中心とする周囲領域Ｃ１を表示部１１に表示させた状態において、接触文字と関連する関連文字への接触を検出部１２により検出した場合に、関連文字に関連する文字を、当該関連文字を中心とする周囲領域に表示させる。これにより、携帯電話機１は、関連文字に関連する文字の入力を容易に行うことできる。
【００６５】
図７は、図３から図６に示す例の内部処理について示すフローチャートである。
ステップＳ１において、文字入力制御部１７２は、表示部１１において、第１の入力候補Ａ１に対応する箇所への接触を検出部１２により検出したか否かを判定する。第１の入力候補Ａ１に対応する箇所への接触を検出した場合（ＹＥＳ）には、ステップＳ２へ進む。第１の入力候補Ａ１に対応する箇所への接触を検出しなかった場合（ＮＯ）には、再度ステップＳ１の処理を繰り返す。
【００６６】
ステップＳ２において、文字入力制御部１７２は、第１の入力候補Ａ１への接触が第１の時間Ｔ１以上継続したか否かを判定する。接触が第１の時間Ｔ１以上継続した場合（ＹＥＳ）には、ステップＳ３へ進む。接触が第１の時間Ｔ１以上継続しなかった、つまり第１の時間Ｔ１以内に接触を解除した場合（ＮＯ）には、ステップＳ９へ進む。
【００６７】
ステップＳ３において、文字入力制御部１７２は、接触された文字である接触文字と関連する関連文字を表示部１１における接触文字を中心とする周囲領域Ｃ１に表示させる。
【００６８】
ステップＳ４において、文字入力制御部１７２は、表示部１１の接触文字に対応する位置から所定方向への摺動操作が検出部１２により検出されたか否かを判定する。スライド操作が検出された場合（ＹＥＳ）には、ステップＳ５へ進む。スライド操作が検出されなかった場合（ＮＯ）には、ステップＳ８へ進む。
【００６９】
ステップＳ５において、文字入力制御部１７２は、検出部１２により摺動操作を検出した位置が接触領域Ｃ２に対応する位置であるか否かを判定する。接触領域Ｃ２に対応する位置である場合（ＹＥＳ）には、ステップＳ６へ進む。接触領域Ｃ２に対応する位置でなかった場合（ＮＯ）には、ステップＳ７へ進む。
【００７０】
ステップＳ６において、文字入力制御部１７２は、摺動操作に応じて接触文字を中心として周囲領域Ｃ１を回転させ、かつ周囲領域Ｃ１の回転に応じて、所定の順序に基づいて関連文字の一部の文字の表示を解除すると共に、新たに接触文字に関連する関連文字を周囲領域Ｃ１に表示させる。すなわち、文字入力制御部１７２は、摺動操作に応じて、周囲領域Ｃ１に表示される関連文字を順次更新する。
【００７１】
ステップＳ７において、文字入力制御部１７２は、摺動操作に応じて接触文字を中心として周囲領域Ｃ１を回転させ、かつ周囲領域Ｃ１の回転に応じて、接触文字を頭文字とした変換候補、接触文字と第１の関係を有する同一の文字種の文字及び接触文字と第２の関係を有する異なる文字種の文字をそれぞれ切り替えて、周囲領域Ｃ１に表示させる。すなわち、文字入力制御部１７２は、摺動操作に応じて、関連文字のカテゴリを切り替える。
【００７２】
ステップＳ８において、文字入力制御部１７２は、周囲領域Ｃ１において表示されている関連文字への接触が検出部１２より検出されたか否かを判定する。関連文字への接触が検出された場合（ＹＥＳ）には、ステップＳ９へ進む。関連文字への接触が検出されなかった場合（ＮＯ）には、ステップＳ１へ戻る。
【００７３】
ステップＳ９において、文字入力制御部１７２は、検出部１２により表示部１１への接触が解除されたか否かを判定する。接触が解除された場合（ＹＥＳ）には、ステップＳ１０へ進む。接触が解除されない場合（ＮＯ）には、ステップＳ２へ戻る。
【００７４】
ステップＳ１０において、文字入力制御部１７２は、文字の選択を確定し、処理を終了する。このように本実施形態の携帯電話機１によれば、ユーザは、接触文字以外の文字を選択することにより、異なる文字種の文字入力を容易に行うことできる。
【００７５】
以上、本発明の実施形態について説明したが、本発明は上述した実施形態に制限されるものではなく、適宜変更が可能である。また、上述した実施形態において、携帯電子機器としての携帯電話機１について説明したが、他の電子機器にも適用可能である。例えば、本発明の携帯電子機器は、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００７６】
１  携帯電話機
１０  タッチパネル
１１  表示部
１２  検出部
１６  記憶部
１７  制御部
１６１  文字入力補助アプリケーション
１６２  文字入力アプリケーション
１７１  アプリケーション制御部
１７２  文字入力制御部
【図１】
0005822662.tif 000002
【図２】
0005822662.tif 000003
【図３】
0005822662.tif 000004
【図４】
0005822662.tif 000005
【図５】
0005822662.tif 000006
【図６】
0005822662.tif 000007
【図７】
0005822662.tif 000008